(57)【要約】  【課題】ディスク11を出し入れするディスク用開口部25と歌詞カード12を出し入れするカード用開口部26とを区別できるファイル体21を提供する。  【解決手段】略四角形の袋体22の右辺に、ディスク収納部23にディスクを出し入れするディスク用開口部25を設ける。袋体22の上辺に、カード収納部24に歌詞カード12を出し入れするカード用開口部26を設ける。ディスク11を出し入れするディスク用開口部25と歌詞カード12を出し入れするカード用開口部26とを区別し、ディスク11および歌詞カード12の収納間違いを防止する。  【選択図】図１
2005088949.tif 000002
【特許請求の範囲】
【請求項１】
略四角形の袋体と、
この袋体の一辺に開口するディスク用開口部を有し、このディスク用開口部を通じてディスクを出し入れ可能に収納するディスク収納部と、
前記袋体のディスク用開口部が開口する一辺に対して異なる辺に開口するカード用開口部を有し、このカード用開口部を通じてカードを出し入れ可能に収納するカード収納部と
を具備していることを特徴とするファイル体。
【請求項２】
カード収納部のいずれかの辺には、対応するディスク収納部の辺より突出するインデックス表示部を設けた
ことを特徴とする請求項１記載のファイル体。
【請求項３】
袋体は、ディスク収納部の表面を形成する表面部、ディスク収納部の裏面でかつカード収納部の表面を形成する中間部、およびカード収納部の裏面を形成する裏面部を備え、これら表面部、中間部および裏面部が１枚の袋体素材を折り返して形成されている
ことを特徴とする請求項１または２記載のファイル体。
【請求項４】
ディスク収納部のディスク用開口部およびカード収納部のカード用開口部は袋体の隣り合う２辺に形成され、
袋体は、カード用開口部に対応する辺で表面部と中間部とが折り返して形成されるとともに、ディスク用開口部に対応する辺で中間部と裏面部とが折り返して形成され、残りの２辺で表面部、中間部および裏面部が固定されている
ことを特徴とする請求項３記載のファイル体。
【請求項５】
カード収納部のカード用開口部に対応する辺の裏面部が中間部より突出されている
ことを特徴とする請求項３または４記載のファイル体。
【請求項６】
表面部のディスク用開口部に対応する辺に、表面部からディスク収納部内に折り込まれて表面部との間にディスクを挟み込む突片が形成されている
ことを特徴とする請求項３ないし５いずれか記載のファイル体。
【発明の詳細な説明】
【技術分野】
【０００１】
本発明は、ディスクを収納するファイル体に関する。
【背景技術】
【０００２】
従来、例えば、音楽用のコンパクトディスクのパッケージには、コンパクトディスク（以下、ディスクという）およびこのディスクを収納するプラスチックケースのほか、歌詞カード、裏ジャケット、プラスチックケースの外側一辺に貼り付けられているインデックス帯などが付属されている。
【０００３】
多数のディスクを保管したり、携帯したり、自動車内に持ち込むような場合、ディスクなどをプラスチックケースに収納したままではかさばるため、プラスチックケースに代えて、ディスクなどを収納するための薄形のファイル体が知られている。
【０００４】
このファイル体は、例えば塩化ビニールなどの透明または半透明な軟質な樹脂材料で形成された略四角形の袋体を有し、この袋体にディスクを収納するディスク収納部と歌詞カードなどを収納するカード収納部が仕切られて形成されている。そして、ディスク収納部にディスクを出し入れするためのディスク用開口部と、カード収納部に歌詞カードなどを出し入れするためのカード用開口部とが、袋体の同一の辺に向けて形成されている（例えば、特許文献１参照。）。
【特許文献１】特開平１０−１１４３８３号公報（第３頁、図１）
【発明の開示】
【発明が解決しようとする課題】
【０００５】
ところで、ファイル体を使用する場合、主にとしてディスクや歌詞カードは出し入れするが、裏ジャケットやインデックス帯などは出し入れすることは少ない。
【０００６】
従来のファイル体では、これらディスクおよび歌詞カードを出し入れするためのディスク用開口部およびカード用開口部は、袋体の同一の辺に開口しているため、ディスクや歌詞カードなどを収納するときに対応する開口部の区別がつきにくく、異なる開口部を通じて異なる収納部に収納しようとしてしまうなどの収納間違いが生じやすい問題がある。
【０００７】
本発明は、このような点に鑑みなされたもので、ディスクを出し入れするディスク用開口部とカードを出し入れするカード用開口部とを容易に区別でき、ディスクおよびカードの収納間違いを防止できるファイル体を提供することを目的とする。
【課題を解決するための手段】
【０００８】
請求項１記載のファイル体は、略四角形の袋体と、この袋体の一辺に開口するディスク用開口部を有し、このディスク用開口部を通じてディスクを出し入れ可能に収納するディスク収納部と、前記袋体のディスク用開口部が開口する一辺に対して異なる辺に開口するカード用開口部を有し、このカード用開口部を通じてカードを出し入れ可能に収納するカード収納部とを具備しているものである。
【０００９】
そして、この構成では、略四角形の袋体の一辺にディスク収納部のディスク用開口部を設け、袋体のディスク用開口部が設けられた一辺に対して異なる辺にカード収納部のカード用開口部を設けたため、ディスクを出し入れするディスク用開口部とカードを出し入れするカード用開口部とが容易に区別可能となり、ディスクおよびカードの収納間違いが防止される。
【００１０】
請求項２記載のファイル体は、請求項１記載のファイル体において、カード収納部のいずれかの辺には、対応するディスク収納部の辺より突出するインデックス表示部を設けたものである。
【００１１】
そして、この構成では、カード収納部のいずれかの辺に、対応するディスク収納部の辺より突出するインデックス表示部を設けたため、袋体のディスク収納部側の面からでも、インデックス表示部を通じてカード収納部に収納したカードや他のインデックス部材などの可視が可能となる。
【００１２】
請求項３記載のファイル体は、請求項１または２記載のファイル体において、袋体は、ディスク収納部の表面を形成する表面部、ディスク収納部の裏面でかつカード収納部の表面を形成する中間部、およびカード収納部の裏面を形成する裏面部を備え、これら表面部、中間部および裏面部が１枚の袋体素材を折り返して形成されているものである。
【００１３】
そして、この構成では、袋体は、ディスク収納部の表面を形成する表面部、ディスク収納部の裏面でかつカード収納部の表面を形成する中間部、およびカード収納部の裏面を形成する裏面部を、１枚の袋体素材を折り返して形成したため、袋体の構成が簡単になる。
【００１４】
請求項４記載のファイル体は、請求項３記載のファイル体において、ディスク収納部のディスク用開口部およびカード収納部のカード用開口部は袋体の隣り合う２辺に形成され、袋体は、カード用開口部に対応する辺で表面部と中間部とが折り返して形成されるとともに、ディスク用開口部に対応する辺で中間部と裏面部とが折り返して形成され、残りの２辺で表面部、中間部および裏面部が固定されているものである。
【００１５】
そして、この構成では、ディスク用開口部およびカード用開口部を袋体の隣り合う２辺に形成し、袋体は、カード用開口部に対応する辺で表面部と中間部とを折り返して形成するとともに、ディスク用開口部に対応する辺で中間部と裏面部とを折り返して形成し、残りの２辺で表面部、中間部および裏面部を固定するため、袋体の固定する辺が２辺のみで済み、製造性が向上される。
【００１６】
請求項５記載のファイル体は、請求項３または４記載のファイル体において、カード収納部のカード用開口部に対応する辺の裏面部が中間部より突出されているものである。
【００１７】
そして、この構成では、カード収納部のカード用開口部に対応する辺の裏面部を中間部より突出させたため、袋体の表面部側つまりディスク収納部側からでも、カード用開口部を開口させてカードを容易に出し入れ可能となる。
【００１８】
請求項６記載のファイル体は、請求項３ないし５いずれか記載のファイル体において、表面部のディスク用開口部に対応する辺に、表面部からディスク収納部内に折り込まれて表面部との間にディスクを挟み込む突片が形成されているものである。
【００１９】
そして、この構成では、表面部のディスク用開口部に対応する辺に形成した突片を、この突片と表面部との間にディスクを挟み込むようにディスク収納部内に折り込むことにより、突片によってディスクをディスク収納部内に保持し、ディスクがディスク開口部から不用意に飛び出してしまうのを防止可能とする。
【発明の効果】
【００２０】
請求項１記載のファイル体によれば、略四角形の袋体の一辺にディスク収納部のディスク用開口部を設け、袋体のディスク用開口部が設けられた一辺に対して異なる辺にカード収納部のカード用開口部を設けたため、ディスクを出し入れするディスク用開口部とカードを出し入れするカード用開口部とを容易に区別でき、ディスクおよびカードの収納間違いを防止できる。
【００２１】
請求項２記載のファイル体によれば、請求項１記載のファイル体の効果に加えて、カード収納部のいずれかの辺に、対応するディスク収納部の辺より突出するインデックス表示部を設けたため、袋体のディスク収納部側の面からでも、インデックス表示部を通じてカード収納部に収納したカードや他のインデックス部材などを可視できる。
【００２２】
請求項３記載のファイル体によれば、請求項１または２記載のファイル体の効果に加えて、袋体は、ディスク収納部の表面を形成する表面部、ディスク収納部の裏面でかつカード収納部の表面を形成する中間部、およびカード収納部の裏面を形成する裏面部を、１枚の袋体素材を折り返して形成したため、袋体の構成を簡単にできる。
【００２３】
請求項４記載のファイル体によれば、請求項３記載のファイル体の効果に加えて、ディスク用開口部およびカード用開口部を袋体の隣り合う２辺に形成し、袋体は、カード用開口部に対応する辺で表面部と中間部とを折り返して形成するとともに、ディスク用開口部に対応する辺で中間部と裏面部とを折り返して形成し、残りの２辺で表面部、中間部および裏面部を固定するため、袋体の固定する辺が２辺のみで済み、製造性を向上できる。
【００２４】
請求項５記載のファイル体によれば、請求項３または４記載のファイル体の効果に加えて、カード収納部のカード用開口部に対応する辺の裏面部を中間部より突出させたため、袋体の表面部側つまりディスク収納部側からでも、カード用開口部を開口させてカードを容易に出し入れできる。
【００２５】
請求項６記載のファイル体によれば、請求項３ないし５いずれか記載のファイル体の効果に加えて、表面部のディスク用開口部に対応する辺に形成した突片を、この突片と表面部との間にディスクを挟み込むようにディスク収納部内に折り込むことにより、突片によってディスクをディスク収納部内に保持でき、ディスクがディスク開口部から不用意に飛び出してしまうのを防止できる。
【発明を実施するための最良の形態】
【００２６】
以下、本発明の一実施の形態を図１ないし図３を参照して説明する。
【００２７】
例えば、音楽用のコンパクトディスクのパッケージには、コンパクトディスク（以下、ディスクという）11およびこのディスク11を収納する図示しないプラスチックケースのほか、カードとしての歌詞カード12、裏ジャケット13、プラスチックケースの外側一辺に貼り付けられて題名などが表示されているインデックス帯14などが付属されている。
【００２８】
プラスチックケースから取り出したディスク11、歌詞カード12、裏ジャケット13およびインデックス帯14を収納するファイル体21は、略四角形の袋体22を有している。この袋体22は、例えばポリプロピレンなどの透明または半透明な樹脂材料によって形成され、ディスク11を出し入れ可能に収納するディスク収納部23、歌詞カード12、裏ジャケット13およびインデックス帯14を出し入れ可能に収納するカード収納部24が形成されている。
【００２９】
袋体22の一辺にはディスク収納部23にディスク11を出し入れするディスク用開口部25が開口形成され、袋体22のディスク用開口部25が開口する一辺に対して異なる辺であって隣り合う辺にはカード収納部24に歌詞カード12、裏ジャケット13およびインデックス帯14を出し入れするカード用開口部26が開口形成されている。本実施の形態では、袋体22の上辺にディスク11の径より幅広のカード用開口部26が形成され、歌詞カード12などを上下方向に出し入れ可能とし、また、袋体22の右辺に向けてディスク11の径と同等か少し幅広のディスク用開口部25が形成され、ディスク11を左右方向に出し入れ可能としている。
【００３０】
袋体22のディスク用開口部25が開口する辺には、カード収納部24がディスク収納部23より突出し、このディスク収納部23より突出する部分にインデックス表示部27が形成されている。したがって、ディスク収納部23はディスク11の直径に対応した略正方形に形成されているが、カード収納部24はディスク収納部23より一辺が長い略長方形に形成されている。
【００３１】
そして、袋体22は、ディスク収納部23の表面を形成する表面部30、ディスク収納部23の裏面でかつカード収納部24の表面を形成する中間部31、およびカード収納部24の裏面を形成する裏面部32を備え、これら表面部30、中間部31および裏面部32が１枚の袋体素材を折り返して形成されている。
【００３２】
すなわち、袋体22は、カード用開口部26に対応する辺で表面部30と中間部31とが折返し部33で折り返して形成されているとともに、ディスク用開口部25に対応する辺で中間部31と裏面部32とが折返し部34で折り返して形成され、残りの２辺で表面部30、中間部31および裏面部32が固定部35によって一体に固定されている。固定部35は、表面部30、中間部31および裏面部32を機械的にかしめて固定している。
【００３３】
ディスク収納部23の表面部30には、ディスク11の中央に形成された孔部11aの位置に対応してディスク用開口部25の方向に向けて長いディスク取出操作用の溝部38が形成されている。さらに、表面部30のディスク用開口部25に対応する辺の中央域には、表面部30からディスク収納部23内に折り込まれて表面部30との間にディスク11を挟み込む突片39が折返し部40を介して形成されている。
【００３４】
また、カード収納部24のカード用開口部26に対応する辺の裏面部32は、中間部31つまり折返し部33より突出されている。
【００３５】
次に、本実施の形態の作用を説明する。
【００３６】
例えば音楽用のコンパクトディスクのパッケージのプラスチックケースから取り出したディスク11、歌詞カード12、裏ジャケット13、インデックス帯14を、ファイル体21に収納する。
【００３７】
すなわち、ディスク11は、ファイル体21の右方向に開口するディスク用開口部25からディスク収納部23に挿入して収納し、突片39をこの突片39と表面部30との間にディスク11を挟み込むようにディスク収納部23内に折り込み、また、歌詞カード12、裏ジャケット13、インデックス帯14は、ファイル体21の上方に開口するカード用開口部26からカード収納部24に挿入して収納する。カード収納部24に収納するときには、インデックス表示部27にインデックス帯14や裏ジャケット13の題名が表示された部分などを可視できるように配置する。
【００３８】
ファイル体21への収納状態では、ファイル体21をディスク収納部23から見た場合、ディスク収納部23に収納されたディスク11でカード収納部24に収納された歌詞カード12や裏ジャケット13の一部が隠れるが、ディスク収納部23よりカード収納部24のインデックス表示部27が突出していて、このインデックス表示部27を通じてカード収納部24に収納されたインデックス帯14などを可視できるため、例えば、ファイル体21を複数枚重ねた状態でもインデックス表示部27を見ることで内容を把握できる。
【００３９】
また、ディスク11の内容を視聴する場合、溝部38を通じてディスク11の孔部11aに指を引っ掛け、ディスク11をディスク用開口部25側に移動させることにより、ディスク11の周縁がディスク用開口部25から出るため、そのディスク11の周縁を持って取り出すことができる。このとき、突片39をディスク収納部23の外に引き出してディスク11の保持を解除するか、ディスク11の取出操作によってディスク11で押される突片39がディスク収納部23から突出することでディスク11の保持を自動的に解除できる。
【００４０】
また、歌詞カード12を見る場合、ファイル体21のカード用開口部26を開口させてカード収納部24内の歌詞カード12を取り出す。
【００４１】
そして、ファイル体21は、略四角形の袋体22の一辺にディスク収納部23のディスク用開口部25を設け、袋体22のディスク用開口部25が設けられた一辺に対して異なる辺にカード収納部24のカード用開口部26を設けたため、ディスク11を出し入れするディスク用開口部25と歌詞カード12などを出し入れするカード用開口部26とを容易に区別でき、ディスク11および歌詞カード12などの収納間違いを防止できる。
【００４２】
また、カード収納部24に、ディスク収納部23の辺より突出するインデックス表示部27を設けたため、袋体22のディスク収納部23側の面からでも、インデックス表示部27を通じてカード収納部24に収納したインデックス帯14などを可視できる。このインデックス表示部27の表面は、表面部30が位置せず中間部31のみが位置する一重構造であるため、透過性がよく、インデックス表示部27を通じてカード収納部24に収納したインデックス帯14などを容易に可視できる。
【００４３】
また、袋体22は、ディスク収納部23の表面を形成する表面部30、ディスク収納部23の裏面でかつカード収納部24の表面を形成する中間部31、およびカード収納部24の裏面を形成する裏面部32を、１枚の袋体素材を折り返して形成したため、袋体22の構成を簡単にできる。
【００４４】
特に、ディスク用開口部25およびカード用開口部26を袋体22の隣り合う２辺に形成し、袋体22は、カード用開口部26に対応する辺で表面部30と中間部31とを折り返して形成するとともに、ディスク用開口部25に対応する辺で中間部31と裏面部32とを折り返して形成し、残りの２辺で表面部30、中間部31および裏面部32を固定するため、袋体22の固定する辺が２辺のみで済み、ファイル体21の製造性を向上できる。
【００４５】
また、カード収納部24のカード用開口部26に対応する辺の裏面部32を中間部31より突出させたため、袋体22の表面部30側つまりディスク収納部23側を手前に向けた状態でも、カード用開口部26を容易に開口させて歌詞カード12などを容易に出し入れできる。
【００４６】
また、表面部30のディスク用開口部25に対応する辺に形成した突片39を、この突片39と表面部30との間にディスク11を挟み込むようにディスク収納部23内に折り込むことにより、突片39によってディスク11をディスク収納部23内に保持でき、ディスク開口部25を下方へ向けた場合でもディスク11がディスク開口部25から不用意に飛び出してしまうのを防止できる。
【００４７】
また、ファイル体21の材質にポリプロピレンを用いることにより、例えば塩化ビニールのように可塑剤を含まないため、ディスク11への影響を防止できる。さらに、一般にディスク11の情報記録面を保護するために不織布を用いることが多いが、ディスク11に不織布が貼り付くことがあるため、不織布を用いないことでディスク11への不織布の貼り付きを防止できる。
【００４８】
なお、ファイル体に収納するディスクやカードは、音楽用のコンパクトディスクや歌詞カードに限らず、ビデオ用のコンパクトディスク、ゲームソフトやコンピュータソフトのディスク、あるいはＤＶＤ（デジタル多用途ディスク）などのディスクや、解説カード（解説書）などのカードにも、同様に適用できる。
【図面の簡単な説明】
【００４９】
【図１】本発明の一実施の形態を示すファイル体の斜視図である。
【図２】同上ファイル体の正面図である。
【図３】同上ファイル体の袋体の展開図である。
【符号の説明】
【００５０】
11    ディスク
12    カードとしての歌詞カード
21    ファイル体
22    袋体
23    ディスク収納部
24    カード収納部
25    ディスク用開口部
26    カード用開口部
27    インデックス表示部
30    表面部
31    中間部
32    裏面部
39    突片
【図１】
2005088949.tif 000003
【図２】
2005088949.tif 000004
【図３】
2005088949.tif 000005